Podtech/llm-jp-corpus-v4-ja_patent huggingface dataset:
(57)【要約】【課題】  薬の服用し忘れを防ぐ軽量で小型の薬袋を提示する。【解決手段】  構成要素は、『開閉部がある複数個の袋』、それを『接合、または束ねる手段』、および『複数個の袋の内一つを特定する手段』である。『開閉部がある複数個の袋』は、服用する時間帯（例えば、朝昼夕の三つ）に分けて、薬を入れることができる。『接合、または束ねる手段』は、『開閉部がある複数の袋』の辺を接合、または束ねてあって、接合部分の折り返し、または束ねてある場合は繰ることによって、『開閉部がある複数の袋』の位置関係を変更できる。『複数個の袋の内一つを特定する手段』は、その位置関係を安定的に保持するか、または一時的な印付けを行うものである。【選択図】図４
2008119424.tif 000002
【特許請求の範囲】
【請求項１】
薬袋であって、構成要素は、『開閉部がある複数個の袋』、それを『接合、または束ねる手段』、および『複数個の袋の内一つを特定する手段』である。『開閉部がある複数個の袋』は、それぞれ直接的、または間接的に識別が可能であり、服用する時間帯に分けて、薬を入れることができる。『接合、または束ねる手段』は、『開閉部がある複数の袋』の辺を接合、または束ねてあって、接合部分の折り返し、または束ねてある場合は繰ることで、『開閉部がある複数の袋』の位置関係を変更できる。『複数個の袋の内一つを特定する手段』は、前記の位置関係を安定的に保持するか、または一時的な印付けを行うものである。
【請求項２】
薬袋であって、構成要素は、『開閉部がある複数個の袋部』、『分離する手段』、および『複数個の袋部の内一つを特定する手段』である。袋部とは、２枚以上のシートを重ねて、仕切りで分離したものである。『開閉部がある複数個の袋部』は、それぞれ直接的、または間接的に識別が可能であり、服用する時間帯に分けて、薬を入れることができる。『分離する手段』は、『開閉部がある複数の袋部』を分離していて、分離部分、またはその付近の折り返しによって、『開閉部がある複数の袋部』の位置関係を変更できる。『複数個の袋部の内一つを特定する手段』は、前記の位置関係を安定的に保持するか、または一時的な印付けを行うものである。
【請求項３】
請求項１において、『開閉部がある複数個の袋』は、レールファースナー付きの透明ビニール袋であり、『接合、または束ねる手段』は、『開閉部がある複数個の袋』の下部に通し孔をあけ、輪状の結合具を通してあるもの。
【請求項４】
請求項１において、『複数個の袋の内一つを特定する手段』は、クリップであり、『開閉部がある複数個の袋』を挟むもの。
【請求項５】
請求項１において、『複数個の袋の内一つを特定する手段』は、『開閉部がある複数個の袋』にマグネットホック、または面ファスナー、もしくは孔と通し具を備えて、状態を保持するもの。
【請求項６】
請求項１において、『開閉部がある複数個の袋』は、それぞれが区別できるように識別ラベルを貼るか、袋自体を区別するか、袋の中に識別用の小物が入れられたもの。
【請求項７】
請求項１において、『開閉部がある複数個の袋』の個数が、三つであるもの。
【発明の詳細な説明】
【技術分野】
【０００１】  薬袋であって、服用を欠くこと、重複することを防ぐように工夫されたもの。
【背景技術】
【０００２】『薬飲み忘れ防止用シールと、それを補助する薬袋』として、ポケットを有して、最新の服用時刻のシールを貼ることができる薬袋が提示されている。
特開２００４−２６７７３２（Ｐ２００４−２６７７３２Ａ）【０００３】『薬袋』として、服用する時間的条件を異なる識別表示部で示した複数の薬袋が提示されている。特開２００４−５７７７６（Ｐ２００４−５７７７６Ａ）【０００４】
【特許文献１】  特開２００４−２６７７３２（Ｐ２００４−２６７７３２Ａ）
【特許文献２】  特開２００４−５７７７６（Ｐ２００４−５７７７６Ａ）
【発明の開示】
【発明が解決しようとする課題】
【０００５】  薬の服用し忘れを防ぐ軽量で小型の薬袋を提示する。
【課題を解決するための手段】
【０００６】  構成要素は、『開閉部がある複数個の袋』それを『接合、または束ねる手段』、および『複数個の袋の内一つを特定する手段』である。【０００７】  『開閉部がある複数個の袋』は、それぞれ直接的、または間接的に識別が可能であり、服用する時間帯（例えば、朝昼夕の三つ）に分けて、薬を入れることができる。【０００８】  『接合、または束ねる手段』は、『開閉部がある複数の袋』の辺を接合、または束ねてあって、接合部分の折り返し、または束ねてある場合は繰ることで、『開閉部がある複数の袋』の位置関係を変更できる。【０００９】  『複数個の袋の内一つを特定する手段』は、前記の位置関係を安定的に保持するか、または一時的な印付けを行うものである。【００１０】  『開閉部がある複数個の袋』は、２枚以上のシートを重ねて、仕切りで分離した袋部でもあっても良い。
【発明の効果】
【００１１】  服用時、次回服用する時間帯（例えば、朝昼夕の三つ）の薬が特定の位置になるように折り返し、または繰り、保持すること、または一時的な印付けをすることで服用の状況がわかる。旅行等で薬箱を持ち歩けない場合でも利用できる。
【発明を実施するための最良の形態】
【００１２】  『開閉部がある複数個の袋』は、レールファースナー付きの透明ビニール袋である。【００１３】  『接合、または束ねる手段』は、『開閉部がある複数個の袋』の下部に通し孔をあけ、輪状の結合具を通したものである。【００１４】  『複数個の袋の内一つを特定する手段』は、クリップであり、『開閉部がある複数個の袋』を挟む。その他のものとして、『開閉部がある複数個の袋』にマグネットホック、または面ファスナー、もしくは孔と通し具を備えて状態を保持するものでも良い。【００１５】  『開閉部がある複数個の袋』は、それぞれが区別できるように識別ラベルを貼る。識別ラベルを貼るのに替えて、袋自体を区別するか、袋の中に識別用の小物を入れても良い。【００１６】  『開閉部がある複数個の袋』の個数は、三つを標準とする。
【図面の簡単な説明】
【００１７】
【図１】  『開閉部がある複数の袋、または袋部』を『接合、または束ねる手段』の接合、または束ねる方向の例。
【図２】  『接合、または束ねる手段』の例。
【図３】  『開閉部がある袋、または袋部』の例。
【図４】  発明を実施するための最良の形態例。
【符号の説明】
【００１８】  １０横方向に並べた例、１１横辺を綴じた例、１２底辺を綴じた例。
２０融接、または接着による、２１孔に輪状の結合具を通すことによる、２２圧着、または嵌め込み、もしくは挟み込みによる。
３０『開閉部がある袋』の例、３１『開閉部がある袋部』の例。
４０発明を実施するための最良の形態例。
【図１】
2008119424.tif 000003
【図２】
2008119424.tif 000004
【図３】
2008119424.tif 000005
【図４】
2008119424.tif 000006
(57)【要約】【課題】  複数の人が使用する従来の浴室用椅子は、局部及び肛門付近が座面に直接接触する構のため不衛生であり、不快感、不潔感を抱きながら使用していた。本発明は直接接触を避ける構造のため、不快感、不潔感の払拭だけでなく、局部及び肛門付近からの接触感染の予防にも役に立つことを特徴とした浴室用椅子の提供。【解決手段】  左右２箇所の座面によって形成され、座部の中央部分は前部から後部にかけて床部分まで継続して開放させることを特徴とした浴室用椅子。【選択図】図９
2008119423.tif 000002
【特許請求の範囲】
【請求項１】
左右２箇所の座部とそれらをつなげる背もたれ部によって形成され、かつ座部の中央が床部分まで開放されている浴室用椅子。
【請求項２】
座部の中央部分は前部から後部にかけて継続して、床部分まで開放されている請求項１記載の浴室用椅子。
【請求項３】
局部及び肛門付近が座部に接触しないよう形成されている請求項１記載の浴室用椅子。
【請求項４】
座ったままで、局部及び肛門付近の洗浄が可能である請求項１記載の浴室用椅子。
【請求項５】
局部及び肛門付近を洗浄した液体が直接床面に流れるよう形成されている請求項１記載の浴室用椅子。
【請求項６】
背面から局部及び肛門付近の視界を防ぐよう形成されている請求項１記載の浴室用椅子。
【請求項７】
全体が合成樹脂及び木材等の材料で形成されている請求項１記載の浴室用椅子。
【発明の詳細な説明】
【技術分野】
【０００１】  本発明は、局部及び肛門付近が座部に直接接触しない浴室用椅子に関する。
【背景技術】
【０００２】  従来の浴室用椅子の座部は矩形及び円形等であり、いずれも座部は一面で形成されている。【０００３】  座部の中央部分に洗浄水が滞留しないため、穴を設けたものはある。【０００４】  座部の中央部分に指を差し込んで移動するため、取っ手穴を設けたものはある。【０００５】  座部の前部から中央部分に股間の洗浄を容易にするため切欠け穴を設けたものはある。【０００６】  座部の前部から後部にかけて凹状の溝を設けたものはある。【０００７】  他人が使用した浴室用椅子に不快感、不潔感をいだきながら使用しないために敷くビニール等のシートの考案はある。
【特許文献１】出願番号：特許出願２００１−１３０６４  出願日：２００１年１月２２日  公開番号：特許公開２００２−２０９７８２  公開日：２００２年７月３０日
【特許文献２】出願番号：特許出願２００５−３４００７  出願日：２００５年２月１０日  公開番号：特許公開２００６−２１８０６６  公開日：２００６年８月２４日
【特許文献３】出願番号：実用新案出願２００１−２３９２  出願日：２００１年３月１５日  登録番号：登録実用新案第３０８２９１３号  登録日：２００１年１０月１７日
【発明の開示】
【発明が解決しようとする課題】
【０００８】  以上に述べた従来の浴室用椅子は、局部及び肛門付近が座面に直接接触接するため、不快感、不衛生感を禁じえない構造であった。【０００９】  本発明は、このような従来の構造が有していた問題を解決しようとするものであり、局部及び肛門付近が座面に直接接触接をしないことを実現することを目的とするものである。
【課題を解決するための手段】
【００１０】  本発明は、上記目的を達成するため左右２箇所の座部とそれらをつなげる背もたれ部によって形成され、かつ座部の中央部分が床部分まで開放されている構成としたものである。【００１１】  本発明は、座ったままで局部及び肛門付近の洗浄が可能であり、局部及び肛門付近を洗浄した液体が直接床面に流れるよう形成されている。
【発明の効果】
【００１２】  局部及び肛門付近が座面に直接接触しないよう形成されているため、他人が使用した浴室用椅子の使用に際し、不快感、不潔感の軽減に寄与することができる。【００１３】  局部及び肛門付近が座面に直接接触しないよう形成されているため、感染症の予防等の衛生的効果に寄与することができる。【００１４】  座部の中央部分は前部から後部にかけて継続して床部分まで開放されているため、局部及び肛門付近を座ったままで洗浄することができる。【００１５】  座部の中央部分は前部から後部にかけて継続して床部分まで開放されているため、座面の中央部分に洗浄水が滞留しないため、本体自体も汚れにくくすることが出来る。
【図面の簡単な説明】
【００１６】
【図１】本発明に係る浴室用椅子の正面図
【図２】    同        上        背面図
【図３】    同        上        右側面図
【図４】    同        上        左側面図
【図５】    同        上        上面図
【図６】    同        上        底面図
【図７】    同        上        Ａ−Ａ’線断面図
【図８】    同        上        Ｂ−Ｂ’線断面図
【図９】    同        上        斜視図
【符号の説明】
【００１７】１  右脚部
２  左脚
３  右座部
４  左座部
５  背もたれ部
【図１】
2008119423.tif 000003
【図２】
2008119423.tif 000004
【図３】
2008119423.tif 000005
【図４】
2008119423.tif 000006
【図５】
2008119423.tif 000007
【図６】
2008119423.tif 000008
【図７】
2008119423.tif 000009
【図８】
2008119423.tif 000010
【図９】
2008119423.tif 000011
(57)【要約】【課題】現在市販されているトングは総て単一の料理用素材にしか通用しない，また素材を丁寧に扱う点に於いて不十分と思われるのでこの点を考慮した器具を提供する。【解決手段】トングを構成する材料としては，長さ約６０ｃｍ，直径約３ｍｍの多少バネ性のあるステンレス等の丸棒のセンターにて角度約１８°に曲げ両先端部に内径約２８ｍｍの円形を構成して，調理用素材を挟む部分を形成して構成するものである。【選択図】図１
2008119420.tif 000002
【特許請求の範囲】
【請求項１】
トングを構成する材料としては長さ約６０ｃｍ，直径約３ｍｍの多少バネ性のあるステンレス等の丸棒のセンターにて角度約１８°に曲げ両先端部に内径約２８ｍｍの円形を構成して調理用素材を挟む部分を形成したトング。
【発明の詳細な説明】
【技術分野】
【０００１】本発明は    調理用器具である。
【背景技術】
【０００２】現在使用されているトングは平板又は半円状の板で構成されている。
【特許文献１】特開２００６−２３０９９
【特許文献２】特開２００５−３４８８５２
【特許文献３】実登３１１００３６
【発明の開示】
【発明が解決しようとする課題】
【０００３】調理用器具としてのトングは，発明，考案されているがいずれも単一の器具で，料理によってそれぞれのトングを用意しなければならない。また現在使用されている器具は素材を丁寧に扱う点においては不十分と思われるすなはち挟む所が丸くないためめん類等は切れる事が多々発生する恐れがある。本発明はトングとして以上点を解決し尚米洗い等も出来る器具として発明されたものである。
【課題を解決するための手段】
【０００４】トングを構成する材料としては，長さ約６０ｃｍ，直径約３ｍｍの多少バネ性のあるステンレス等の丸棒のセンターにて角度約１８°に曲げ両先端部に内径約２８ｍｍの円形を構成して調理用素材を挟む部分を形成する。挟む箇所の円形の内径２８ｍｍはテストの結果米洗いに最適の大きさである。
【発明の効果】
【０００５】本発明は丸棒にて構成され，調理用素材を挟む部分が円形にて構成されているためいかなる素材にも適用され且つ素材を痛める事がないのである，また卵焼き等の場合，卵焼きの裏側にヘラとして挿入してはがして挟み容易に返す事ができる，又トングとしての構成の形状が米洗いに適するため使用範囲が一段と広くなるのである。
【発明を実施するための最良の形態】
【０００６】以下本発明の実施の形態を説明する。
本発明の材料としては直径約３ｍｍの多少バネ性のあるステンレス等の丸棒約６０ｃｍの中心を角度約１８°に曲げて両先端部を内径約２８ｍｍの円形（１）を形成して調理素材を挟む部分を構成する。
本発明は以上の構成からなるので，本発明を利用するときは。
１  米洗いのとき本発明の挟み部（１）は開いたまま米を入れた容器に水を入れて本発明の挟み部（１）にて撹拌して洗米を行う。
２  めん類を鍋より取り出す場合には本発明の握り部（２）を握って挟み部（１）にてめんを挟んで取り出す。
３  卵焼きの返しの場合においては挟み部（１）の一方を卵焼きの裏面に挿入して裏面をフライパン等よりはがして挟み部（１）にて挟んで打ち返す。
４  金網等にて魚を焼く場合特に返しの厄介な秋刀魚等においても挟み部（１）にて挟んで簡単に返す事が出来る。
５  如何なる材料にも適用出来るものである。
【図面の簡単な説明】
【０００７】
【図１】本発明の斜視図
【図２】本発明の平面図
【図３】本発明の側面図
【符号の説明】
【０００８】（１）  挟み部
（２）  取っ手
【図１】
2008119420.tif 000003
【図２】
2008119420.tif 000004
【図３】
2008119420.tif 000005
(57)【要約】【課題】家庭用の手拭きタオルが同じところだけ濡れるのを解消するためにタオルを回せるようにする。【解決手段】タオルの両みみに棒を通し、２本の棒の先端をサックで止めタオル掛けを軸にして回せるようにした。【選択図】図１
2008119436.tif 000002
【特許請求の範囲】
【請求項１】
両みみの輪になっているところに棒状のものを通し両端を止める。
【請求項２】
両みみの輪になっているところに棒状のものを通し片方を止める。
【発明の詳細な説明】
【技術分野】
【０００１】本発明は、家庭用の手拭きタオルがいつも同じ所だけ濡れてしまうのでくるっと回して乾いた所をまんべんなく使えるようにしたもの。
【背景技術】
【０００２】従来タオルは掛かった状態のままの使用しかできず、使用後乾いた所を回して出すことはできなかった。
【特許文献１】
【０００３】
【発明の開示】
【発明が解決しようとする課題】
【０００４】家庭用の手拭きタオルを何回か使っていくと中央部分だけ濡れてしまう。そして上部と下部の乾いた部分は狭くて拭きにくいという難点があった。本発明は、この課題を解消するためになされたものである。
【課題を解決するたの手段】
【０００５】タオルのみみ４が輪になっているのを利用してタオル掛けに掛かったタオルの両みみに棒１を一本ずつ通し、二本合わせて棒の両端又は片方をサック３で止めることによってタオル掛けを軸にしてタオルを回せるようにした。
【発明の効果】
【０００６】タオルが回せる為、使用後次の人の為に乾いた所を出せるようになった。
【実施例１】
【０００７】棒は細長い角のない丸形１で、両先端２はだんだん狭くなる。
サック３は棒の先端２本分が入り取り外しができるようになっている。図２である。
【実施例２】
【０００８】棒は細長い角のない丸形でＵ字型６をしており、先端２はだんだん狭くなる。
サック３は取り外し出来るがサック７は固定されている。図３である。
【図面の簡単な説明】
【０００９】
【図１】本発明の使用状態を示す正面図である
【図２】本発明の正面図である
【図３】本発明の正面図である
【図４】本発明の断面図である
【符号の説明】
【００１０】１．タオルのみみに通す棒
２．棒の先端
３．取り外しができるサック
４．タオルのみみ
５．タオル掛け
６．Ｕ字型棒
７．固定されたサック
【図１】
2008119436.tif 000003
【図２】
2008119436.tif 000004
【図３】
2008119436.tif 000005
【図４】
2008119436.tif 000006
(57)【要約】【課題】  飲料を良く味わえる『ストローに接続する飲み口具』、およびストローを提示する。【解決手段】  ストローに接続する飲み口具であって、飲み口側の断面形状が半円形であり、ストローの直径の平方根２（約１．４１４２）倍の直径を持ち、ストローに接続する側の断面形状は、円形でストローに隙間なく、嵌め込みできるもの、および飲み口の断面形状が半円形であるストローによる。【選択図】図１
2008119435.tif 000002
【特許請求の範囲】
【請求項１】
ストローに接続する飲み口具であり、飲み口側の断面形状が円形ではなく、横長形状であるもの。ただし、横長は使用時の方向による。
【請求項２】
ストローであって、飲み口の断面形状が横長形状であるもの。ただし、横長は使用時の方向による。
【請求項３】
請求項１において、飲み口側の断面形状が半円形であるもの。
【請求項４】
請求項３において、半円形の直径は、ストローの直径の平方根２（約１．４１４２）倍で、ストローに接続する側の断面形状は、円形でストローに隙間なく、嵌め込みできるもの。
【請求項５】
請求項２において、飲み口の断面形状が半円形であるもの。
【発明の詳細な説明】
【技術分野】
【０００１】  飲料用ストローであって、特に飲み口の形状が味覚に与える影響を利用することに関する。
【背景技術】
【０００２】『パック飲料飛散防止ストロー』として、パック飲料の側面を持っても、パックを転倒させてもパック中の飲料水は流出しない目的でストローにつまみ装置を付いて、パックからの飲料水の流出の調節を可能にしたストローが提示されている。特開平１０−５７２１７【０００３】『ダイエット食品』として、４っの味覚で、人間の舌の乳頭にある味蕾の味細胞を刺激し、大脳皮質の味覚中枢の味覚神経反応として適度に満腹感を発生させる食品が提示されている。特開平１１−１５５５２７
【特許文献１】  特開平１０−５７２１７
【特許文献２】  特開平１１−１５５５２７
【発明の開示】
【発明が解決しようとする課題】
【０００４】  飲料を良く味わえる『ストローに接続する飲み口具』、およびストローを提示する。
【課題を解決するための手段】
【０００５】  ストローに接続する飲み口具であり、飲み口側の断面形状が円形ではなく、横長形状であるもの、またはストローであって、飲み口の断面形状が横長形状であるもの。ただし、横長は使用時の方向による。
【発明の効果】
【０００６】  本飲み口具、またはストローを使用すると飲料液を味覚が敏感な舌の外側部分に広く当たるように落とすこと、通過させることになり、味わうことなく飲み込まれる率を減らせる。使用しない時に比べて、より少ない量で味覚的に満足できる効果が期待できる。
【発明を実施するための最良の形態】
【０００７】  ストローに接続する飲み口具であり、飲み口側の断面形状が半円形であるもの。【０００８】  上記の半円形の直径は、ストローの直径の平方根２（約１．４１４２）倍であり、ストローに接続する側の断面形状は、円形でストローに隙間なく、嵌め込みできる。【０００９】  または、ストローであって、飲み口の断面形状が半円形であるもの。
【図面の簡単な説明】
【００１０】
【図１】飲み口具の例。
【図２】飲み口の断面形状が半円形であるストローの例。
【図３】舌の味覚感受性。
【符号の説明】
【００１１】１０飲み口具の例、１１飲み口具の断面形状の遷移例。
３０舌の形、３１味覚が敏感な外側、３２味覚が鈍感な内側。
【図１】
2008119435.tif 000003
【図２】
2008119435.tif 000004
【図３】
2008119435.tif 000005
(57)【要約】      （修正有）【課題】使用する蓄電用デバイスを極力減らして、軽量かつ安価で、さらに繰り返し使用における劣化が少なく、かつ緊急時に容易にエネルギーの補給ができる電気自動車を提供する。【解決手段】蓄電用デバイスと蓄電可能なフライホイールを車輌に搭載し、これらにエネルギーを貯蔵し、後に取り出して車輌走行等のエネルギーとしたことを特徴とする電気自動車を提供する。【選択図】図１
2008312424.tif 000002
【特許請求の範囲】
【請求項１】
蓄電用デバイスと蓄電可能なフライホイ−ルを車輌に搭載し、これらにエネルギ−を貯蔵し、後に取り出して車輌走行等のエネルギ−としたことを特徴とする電気自動車。
【発明の詳細な説明】
【技術分野】
【０００１】  本発明は、蓄電用デバイスと蓄電可能なフライホイ−ルを車輌に搭載し、これらにエネルギ−を貯蔵し、後に取り出して車輌走行等のエネルギ−としたことを特徴とする電気自動車に関するものである。
【背景技術】
【０００２】  従来、電気自動車において、蓄電池やキャパシタ−等の蓄電用デバイスは、単に電力の貯蔵の手段としてのみ用いられていたため、電気自動車で長い走行距離を得るためには、大量の蓄電用デバイスを必要としていた。その結果、ガソリン車に比べ車輌重量も重く、価格も高価であった、さらに、蓄電用デバイスには、繰り返しの充放電によって電気化学的劣化が進行する耐久性上の課題があった。また電気自動車には、緊急時のエネルギ−補給に課題があり、これらの課題が電気自動車の普及の妨げとなっていた。【０００３】  一方、フライホイ−ルを高速回転させてエネルギ−を貯蔵した、フライホイ−ル・バスが、スイスのエリコン社によって開発されているが、貯蔵できるエネルギ−は十分ではなかった。
【非特許文献１】  中山秀太郎書、「機械の再発見」講談社出版、Ｐ１１０〜１１５
【０００４】  近年、これらの課題を解決すべく、蓄電用デバイスを具備したフライホイ−ルや蓄電用デバイスから成るフライホイ−ル等の蓄電可能なフライホイ−ルが発明されている。
【特許願１】
特許出願番号  特願２００７−３４１０８  発明者  田中  強
【特許願２】
特許出願番号  特願２００７−５４８０６  発明者  田中  強
【発明の開示】
【発明が解決しようとする課題】
【０００５】  本発明は、従来の課題を解決し、使用する蓄電用デバイスを極力減らして、軽量かつ安価で、さらに繰り返し使用における劣化が少なく、かつ緊急時に容易にエネルギ−の補給ができる電気自動車を提供する目的からなされたものである。
【課題を解決するための手段】
【０００６】  本発明は、蓄電用デバイスと蓄電可能なフライホイ−ルを車輌に搭載し、これらにエネルギ−を貯蔵し、後に取り出して車輌走行等のエネルギ−としたことを特徴とする電気自動車で、従来の課題を解決した電気自動車を提供できたものである。
【発明の効果】
【０００７】  本発明は、蓄電池やキャパシタ−等の蓄電用デバイスが、電気自動車の電力貯蔵手段として最適である一方、一般的には重く、急速な繰り返しの充放電による劣化が早いことが電気自動車の普及の妨げになっていることに着眼し、従来は短所とされていた蓄電用デバイスの重量をむしろ積極的に活用して、物理的エネルギ−の一つである回転運動エネルギ−として貯蔵する方法を見え出したもので、これを具現化する方法として、蓄電用デバイスと蓄電可能なフライホイ−ルを車輌に搭載し、これらにエネルギ−を貯蔵し、後に取り出して車輌走行等のエネルギ−としたことを特徴とする電気自動車を提供できたものである。【０００８】  本発明の電気自動車は、蓄電用デバイスには電力を貯蔵でき、かつ蓄電可能なフライホイ−ルには電力および回転運動エネルギ−の貯蔵、あるいは電力、回転運動エネルギ−のいずれかの貯蔵ができるので、電気自動車におけるエネルギ−補給が多様化でき、緊急時におけるエネルギ−補給が容易となった。【０００９】  回転運動エネルギ−の貯蔵は、モ−タ−等によって比較的短時間で実施可能で、かつ、繰り返しによる機械的劣化は、蓄電用デバイスの充放電の繰り返しによる電気化学的劣化と比べて遙かに少ない。また、貯蔵された回転運動エネルギ−は、発電機等により容易に電力に変換できるので、等価的には、より多く電力の貯蔵が可能となり、従来の電気自動車に比べて、搭載する蓄電用デバイスの量が少なくてすむので軽量で安価となり、電気自動車の普及に多いに貢献できるものである。
【発明を実施するための最良の形態】
【００１０】  以下、本発明の実施の形態を図面に基づき詳細に説明する。【００１１】  第１図は、本発明の実施例の斜視図である。本図は、電気自動車として、路面バスにおける実施例の斜視図である。【００１２】  本実施例は、蓄電可能なフライホイ−ル２を、誘導モ−タ−で回転して回転運動エネルギ−を貯蔵し、後に発電機によって電気エネルギ−として取り出し走行用モ−タ−４へ供給した場合の実施例である。【００１３】  実施においては、貯蔵された回転運動エネルギ−は電気エネルギ−として変換されることなく、車輌の発進時等に直接機械的エネルギ−として利用することもできるし、また、回転運動エネルギ−は車輌の停止時における回生エネルギ−として貯蔵することも可能である。【００１４】  本発明の最大の特長は、電気自動車におけるエネルギ−補給を、蓄電用デバイスへの直接的な電力の貯蔵によらずに、物理的エネルギ−としても貯蔵できることを可能としたことにある。その結果、電気自動車の普及の妨げとなっていた幾つかの技術的な課題を解決でき、さらに、急速充電設備を必ずしも必要としないことから、電気自動車普及に必要とされるインフラ整備のコストを大幅に低減できるものである。【００１５】  特に、都市部における路面バスや電車の停車場間の走行距離は、極めて短く、数キロメ−タ−であることから、本実施例の様に、停車時にパンタグラフ５等の集電装置を用いて集電し、蓄電可能なフライホイ−ル２に、短時間に回転運動エネルギ−を貯蔵できる本発明の電気自動車は、完全に排出ガスゼロで、かつインフラ整備コストの安い新しい都市交通システムを構築できるものである。また、蓄電用デバイスへの電力の貯蔵に深夜電力を活用することによって、安価でしかも電力負荷調整機能も果たせることができる。
【産業上の利用可能性】
【００１６】  本発明の電気自動車は、一般乗用車や路面バスをはじめとして、電動機付自転車、バイク、電車等広範囲におよぶ電気自動車に利用できる。またハイブリッド自動車や電動フォ−クリフト等、蓄電用デバイスを使用しているあらゆる産業分野に利用できる。
【図面の簡単な説明】
【００１７】
【図１】  本発明の実施例の斜視図である。
【符号の説明】
【００１８】    １    蓄電用デバイス
２    蓄電可能なフライホイ−ル
３    誘導モ−タ−兼発電機
４    走行用モ−タ−
５    パンタグラフ
６    車輌本体
【図１】
2008312424.tif 000003
(57)【要約】      （修正有）【課題】キャパシタ（蓄電池）の電気のポンプアップ用に開発した、放電制御装置を各種電池に応用する技術を提供する。【解決手段】定電圧定電流放電制御装置はキャパシタを電池のように必要電圧必要電流で電気を取り出すために開発したものである。電池を蓄電池と考えたとき本来使用できない残留電気を必要電圧必要電流で安定的に取り出すことが出来るため、結果的には使用時間が延びる。【選択図】図１
2008312421.tif 000002
【特許請求の範囲】
【請求項１】
キャパシタ（蓄電池）の電気のポンプアップ用に開発した、放電制御装置を各種電池に応用する技術。
【請求項２】
請求項１に記載の定電圧定電流放電制御装置はキャパシタを電池のように必要電圧必要電流で電気を取り出すために開発したものである。電池を蓄電池と考えたとき本来使用できない残留電気を必要電圧必要電流で安定的に取り出すことが出来るため、結果的には使用時間が延びる。
【請求項３】
この制御装置はＬＳＩ（集積回路）にすることができるため、本体（携帯電話等）、電池及びキャパシタ（蓄電池）の内部に実装することが出来る。
【請求項４】
請求項３によりキャパシタは電池に、電池は長寿命にすることが可能となる。
【発明の詳細な説明】
【技術の分野】
【０００１】  本発明は定電圧定電流放電制御装置を各種電池及びキャパシタ（蓄電池）の電気のポンプアップに応用する技術。
【技術背景】
【０００２】  急速な充放電が可能なキャパシタ（蓄電池）は初期電圧２Ｖ〜３Ｖであるが、放電すると電圧低下が著しいために電池として活用が難しくキャパシタ（蓄電池）としての利用にかぎられていた。
本定電圧定電流放電制御装置はキャパシタ（蓄電池）を電池のように使う目的で開発された技術である。今後高容量のキャパシタ（蓄電池）が開発されると既存の電池に替わってキャパシタ蓄電が可能となる。本装置の通常のキャパシタでの検証は終わっている．
【発明の開示】
【発明が解決しようとする課題】
【０００３】  定電圧定電流放電制御装置はキャパシタを電池のように必要電圧必要電流で電気を取り出すために開発したものである。電池を蓄電池と考えたとき本来使用できない残留電気を必要電圧必要電流で安定的に取り出すことが出来るため、結果的には使用時間が延びる。【０００４】  試作開発した定電圧定電流放電制御装置を応用することで、以下の発見をした。本装置を各種電池に使用してみると低電圧領域の残存下層電気の放電が可能となり、放電時間を延長することができた。【０００５】  今後は各種電池の特性に応じて本装置を調整することで電池の持つ電気を最大限に利用することで電池の使用時間が延長される。
【問題を解決する手段】
【０００６】  本発明は上記事情を鑑みてなされたもので、この制御装置をＬＳＩ（集積回路）にすることにより、本体（携帯電話等）、電池及びキャパシタ（蓄電池）の内部に実装することが出来る。
【実施例】
【０００７】  以下に本発明を図面にした実施例に基づいて説明する。
【図面の簡単な説明】
【０００８】
【図１】充放電システムの実用方法の全体のブロック図でありＡが本発明の装置で、電池から電気をポンプアップして放電する。
【図１】
2008312421.tif 000003